(57)【特許請求の範囲】
【請求項１】
建物の天井内又は床内に配設され電力が供給可能な第１配線部材と、
前記建物の外壁における屋内側に配置された内装材に配設され電力が供給可能な第２配線部材と、
前記内装材に対して交差した状態で当接される間仕切り壁本体に設けられ、前記第１配線部材と電気的に接続される第１接続部と、
前記間仕切り壁本体に設けられ、前記第１接続部と電気的に接続され、かつ前記第２配線部材と電気的に接続される第２接続部と、
を有する配線構造。
【請求項２】
前記間仕切り壁本体には、前記第１接続部と前記第２接続部とを電気的に接続させる配線部を露出させる開閉扉が設けられている請求項１に記載の配線構造。
【請求項３】
前記間仕切り壁内において、前記内装材側に高さ方向に沿って形成され、前記外壁内と連通する配線スペースが設けられている請求項１又は請求項２に記載の配線構造。
【請求項４】
前記配線スペースには、
前記建物の天井内又は床内に配設され電力が供給可能な第１配線部材と電気的に接続される第１接続部と、
前記第１接続部と電気的に接続され、前記外壁内の前記内装材に配設され電力が供給可能な第２配線部材と電気的に接続される第２接続部と、
が設けられている請求項３に記載の配線構造。
【請求項５】
前記間仕切り壁は前記外壁内に配設された柱と対向しない位置に配置されている請求項１〜請求項４の何れか１項に記載の配線構造。
【請求項６】
前記間仕切り壁には、前記第１接続部と前記第２接続部とを電気的に接続させる配線部を露出させる開閉扉が設けられている請求項１〜請求項５の何れか１項に記載の配線構造。
【発明の詳細な説明】
【技術分野】
【０００１】
本発明は、配線構造に関する。
【背景技術】
【０００２】
近年、ＨＥＭＳ（建物内のエネルギの管理や制御を行う制御装置）や太陽光発電装置を搭載する建物が増えてきている。このような装置が搭載された建物では、その分配線が増えてしまうため、外壁内にも配線スペースを確保することが必要となる。
【０００３】
例えば、特許文献１には、間仕切り壁に配線器具（コンセント）を設けるため、天井から間仕切り壁内を通して配線を行う技術が開示されている。このため、外壁内に配線スペースを確保するに当って、天井から当該外壁内を通して配線を行うことが考えられる。
【先行技術文献】
【特許文献】
【０００４】
【特許文献１】特開平９−１２１４２９号公報
【発明の概要】
【発明が解決しようとする課題】
【０００５】
一方、建物において、省エネルギ建物の需要が高まり、その上さらに省エネルギ基準も改正され、高い断熱性能が求められるようになっている。建物の断熱性能を向上させる方法として、いわゆる外張り断熱構造を採用する方法や外壁内の断熱材の密度を増す方法があるが、外壁内の柱周りに断熱材を設けて建物の断熱性能を向上させる場合、当該断熱材により柱周りに配線スペースを確保することが阻害される。したがって、柱周りにおいて配線スペースを確保するには断熱材を突き破る必要がある。
【０００６】
本発明は上記事実を考慮し、断熱材が設けられた外壁に対して、断熱材を突き破ることなく当該外壁内に配線を配策することができる配線構造を得ることが目的である。
【課題を解決するための手段】
【０００７】
第１の態様に係る配線構造は、建物の天井内又は床内に配設され電力が供給可能な第１配線部材と、前記建物の外壁における屋内側に配置された内装材に配設され電力が供給可能な第２配線部材と、前記内装材に対して交差した状態で当接される間仕切り壁本体に設けられ、前記第１配線部材と電気的に接続される第１接続部と、前記間仕切り壁本体に設けられ、前記第１接続部と電気的に接続され、かつ前記第２配線部材と電気的に接続される第２接続部と、を有している。
【０００８】
第１の態様に係る配線構造では、建物の天井内又は床内には、電力が供給可能な第１配線部材が配設され、建物の外壁における屋内側に配置された内装材には、電力が供給可能な第２配線部材が配設されている。そして、建物の外壁における屋内側に配置された内装材に対して交差した状態で当接される間仕切り壁本体には、第１接続部及び第２接続部が設けられており、第１接続部は、第１配線部材と電気的に接続され、第２接続部は、第１接続部と電気的に接続され、かつ第２配線部材と電気的に接続される。
【０００９】
例えば、外壁における屋内側に配置された内装材に対して、コンセントなどの配線器具を配設する場合、一般的には天井内又は床内に設けられた配線を外壁内に引き込み配策させる。このとき、外壁内では通気層を利用して配線スペースを確保するが、当該通気層へ配線を引き込むには、天井大梁又は床大梁から柱周りを経て当該配線を配策させる場合、外張り断熱構造が採用された建物では、柱周りにおいて配線スペースを確保することは困難である。
【００１０】
しかし、本発明では、例えば、天井内又は床内に設けられた第１配線部材と間仕切り壁本体に設けられた第１接続部を接続させ、外壁内に設けられた第２配線部材と間仕切り壁本体に設けられた第２接続部を接続させるだけで、間仕切り壁本体に設けられた第１接続部及び第２接続部を介して、第１配線部材と第２配線部材とは電気的に接続される。
【００１１】
つまり、本発明では、天井内又は床内、間仕切り壁及び外壁内を配線経路としている。これにより、建物の外壁における屋内側に対して、直接天井から配線を配策させることができない、例えば腰壁などの構造においても、コンセントなどの配線器具を配設することができる。そして、本発明では、外壁内の内装材に第２配線部材が配設されるため、当該第２配線部材を配策させるために断熱材を突き破るということもなく、建物において断熱効果を担保することができる。
【００１２】
第２の態様に係る配線構造は、第１の態様において、前記間仕切り壁本体には、前記第１接続部と前記第２接続部とを電気的に接続させる配線部を露出させる開閉扉が設けられている。
【００１３】
第２の態様に係る配線構造では、間仕切り壁本体には、前記第１接続部と前記第２接続部とを電気的に接続させる配線部を露出させる開閉扉が設けられているため、メンテナンスなどにより当該配線部を交換する際に、開閉扉を開放させると配線部が露出するので、作業が簡単である。
【００１４】
第３の態様に係る配線構造は、第１の態様又は第２の態様において、前記間仕切り壁において、前記内装材側に高さ方向に沿って形成され、前記外壁内と連通する配線スペースが設けられている。
【００１５】
第３の態様に係る配線構造では、建物の外壁における屋内側に配置された内装材に対して間仕切り壁が交差した状態で当接している。この間仕切り壁の内装材側には、高さ方向に沿って配線スペースが形成されており、当該配線スペースは、外壁内と連通するようになっている。
【００１６】
このため、間仕切り壁の配線スペースを介して、天井内又床内に配設された配線を外壁内へ配策させることができる。これにより、例えば、外壁における屋内側に配置された内装材に対して、コンセントなどの配線器具を設置することができる。また、屋内に設けられた腰壁等に対してもコンセントなどの配線器具を配設することができる。そして、間仕切り壁を介して外壁内に配線を配策させるようにすることで、柱周りに配線を配策させる必要がないため、柱周りに設けられた断熱材を突き破るということもなく、建物において断熱効果を担保することができる。
【００１７】
第４の態様に係る配線構造は、第３の態様において、前記配線スペースには、前記建物の天井内又は床内に配設され電力が供給可能な第１配線部材と電気的に接続される第１接続部と、前記第１接続部と電気的に接続され前記外壁内の前記内装材に配設され電力が供給可能な第２配線部材と電気的に接続される第２接続部と、が設けられている。
【００１８】
第４の態様に係る配線構造では、配線スペースに第１接続部及び第２接続部が設けられている。第１接続部は、建物の天井内又は床内に配設された第１配線部材と電気的に接続されている。また、第２接続部は、第１接続部と電気的に接続され、外壁内の内装材に配設された第２配線部材と電気的に接続されるようになっている。
【００１９】
第２接続部は、第１接続部と電気的に接続されているため、当該第１接続部及び第２接続部を介して、第１配線部材と第２配線部材は電気的に接続されることになる。つまり、第２配線部材には、第１配線部材を通じて電力が供給可能となる。これにより、外壁における屋内側に設けられた内装材に対してコンセントなどの配線器具を設置することができる。
【００２０】
第５の態様に係る配線構造は、第１の態様〜第４の何れか１の態様において、前記間仕切り壁は前記外壁内に配設された柱と対向しない位置に配置されている。
【００２１】
第５の態様に係る配線構造では、間仕切り壁は外壁内に配設された柱と対向しない位置に配置することで、外壁内における配線スペースを確保することができる。
【００２２】
第６の態様に係る配線構造は、第１の態様〜第５の何れか１の態様において、前記間仕切り壁には、前記第１接続部と前記第２接続部とを電気的に接続させる配線部を露出させる開閉扉が設けられている。
【００２３】
第６の態様に係る配線構造では、間仕切り壁には、前記第１接続部と前記第２接続部とを電気的に接続させる配線部を露出させる開閉扉が設けられているため、メンテナンスなどにより当該配線部を交換する際に、開閉扉を開放させると配線部が露出するので、作業が簡単である。
【発明の効果】
【００２４】
以上説明したように、第１の態様に係る配線構造は、断熱材が設けられた外壁に対して、断熱材を突き破ることなく当該外壁内に配線を配策することができる、という優れた効果を有する。
【００２５】
第２の態様に係る配線構造は、メンテナンスなどにより間仕切り壁内の配線部を交換する際に、作業性が良い、という優れた効果を有する。
【００２６】
第３の態様に係る配線構造は、間仕切り壁を介して外壁内に配線を配策させるようにすることで、断熱材が設けられた外壁に対して、断熱材を突き破ることなく当該外壁内に配線を配策することができる、という優れた効果を有する。
【００２７】
第４の態様に係る配線構造は、間仕切り壁に設けられた第１接続部及び第２接続部を介して、天井内又は床内に配設された第１配線部材と外壁内の内装材に配設された第２配線部材を電気的に接続させることができる、という優れた効果を有する。
【００２８】
第５の態様に係る配線構造は、外壁内における配線スペースを確保することができる、という優れた効果を有する。
【００２９】
第６の態様に係る配線構造は、メンテナンスなどにより間仕切り壁内の配線部を交換する際に、作業性が良い、という優れた効果を有する。
【図面の簡単な説明】
【００３０】
【図１】本実施の形態に係る配線構造が適用された間仕切り壁及び外壁を斜め上方から見た斜視図である。
【図２】図１の要部を一部拡大して示す一部拡大平面図である。
【図３】図２の３−３線に沿って切断したときの断面図である。
【図４】本実施の形態に係る配線構造が適用された間仕切り壁及び外壁を斜め上方から見た分解斜視図である。
【図５】（Ａ）、（Ｂ）は、本実施の形態に係る配線構造の他の例を示す図３に対応する断面図である。
【図６】比較例を示す図３に対応する断面図である。
【発明を実施するための形態】
【００３１】
図１には、本実施形態の配線構造１０の一部が示されている。図１に示されるように、配線構造１０は、一例として、複数の建物ユニット１４を躯体とする建物１２に適用されている。一般に、図示はしないが、建物ユニット１４は、４本の柱と、互いに平行に配置された長短二組の天井梁と、これらの天井梁に対して上下に平行に配置された長短二組の床梁とを含んで構成されており、各梁の端部を天井と床の仕口に溶接することによりラーメン構造として構成されている。但し、建物ユニット１４のユニット構成は上記に限られることなく、他の箱形の架構構造としてもよい。
【００３２】
（配線構造の構成）
まず、本発明の実施形態に係る配線構造について説明する。
【００３３】
図３は、図１の要部を一部拡大して示した図２の３−３線に沿って切断したときの断面図が示されている。この図に示されるように、天井部１５の一部を構成する天井大梁１６の下面には野縁１８が固定されている。この野縁１８の下面には、石膏ボード等による天井下地材２０が固定されており、天井下地材２０の下面には、図示はしないがクロスなどの天井仕上げ材が貼着されている。また、外壁２２における屋内２３側に設けられた内装材２４の上端部には、廻り縁（図示省略）が設けられており、当該廻り縁によって天井仕上げ材と内装材２４との間の見切りがなされている。
【００３４】
図１に示されるように、内装材２４の屋外２５側には、角筒状の柱２６が建物１２の高さ方向に沿って複数立設しており、柱２６の近傍には、外壁フレーム２８が建物１２の高さ方向に沿って立設している。外壁フレーム２８は、水平方向に沿って切断された断面形状が矩形状を成しており、図示しないブラケットを介して柱２６に固定されている。
【００３５】
また、外壁フレーム２８は、柱２６よりも外壁２２の板厚方向に沿った厚みが薄くなっており、外壁２２の屋外２５側に配設されている。そして、当該外壁フレーム２８に外壁２２の一部を構成する外装材３２が取り付けられるようになっている。これにより、外壁フレーム２８と内装材２４との隙間３４が確保されるようになっている。
【００３６】
外装材３２と柱２６の間には隙間３６が設けられており、当該隙間３６には、例えば発泡ウレタン等の発泡剤で形成された断熱材３８が設けられている。また、水平方向に隣接する柱２６間（外壁フレーム２８と内装材２４との隙間３４も含まれる）には、グラスウール等の断熱材４０が充填されている。
【００３７】
このように、外壁２２内において、断熱材３８、４０を設けることによって、外壁２２の断熱、防音、耐火性能を向上させている。また、隣接する外壁フレーム２８間は、通気層４２となって屋外２５からの空気（外気）が流入し、あるいは、当該通気層４２内の空気が屋外２５へ流出するようになっている。
【００３８】
（間仕切り部の構成）
ここで、図１に示されるように、本実施形態では、外壁２２内の柱２６と対向しない箇所で内装材２４に対して略直交（交差）した状態で、間仕切り壁４４の水平方向に沿った幅方向の一端部４４Ａが当接している。この間仕切り壁４４は矩形板状を成しており、間仕切り壁４４内には、当該間仕切り壁４４の幅方向に沿って所定の間隔で縦桟４５が複数設けられている。そして、間仕切り壁４４の一端部４４Ａ側（内装材２４側）は、建物１２の高さ方向に沿って連通する配線スペース４６となっている。
【００３９】
図３に示されるように、配線スペース４６の上部（以下、「入口部」という）４６Ａは、間仕切り壁４４の上端部４４Ｂとなっており、配線スペース４６の下部（以下、「出口部」という）４６Ｂは、間仕切り壁４４の内装材２４と当接する当接部（間仕切り壁４４の一端部４４Ａ）となっている。
【００４０】
また、配線スペース４６の入口部４６Ａは、天井下地材２０に形成された貫通孔２０Ａを介して天井内４８と連通しており、配線スペース４６の出口部４６Ｂは、内装材２４に形成された貫通孔２４Ａを介して外壁内５０と連通している。配線スペース４６内には、第１接続部及び第２接続部を有する電線管５２が間仕切り壁４４の高さ方向に沿って収容されている。
【００４１】
なお、「電線管」として、例えば、ＰＦ管（Plastic Flexible conduit）やＣＤ管（Combined Duct）等が挙げられる。図１では、電線管５２は外径寸法の異なる２本が図示されているが、異なる電線管が配線スペース４６内に収容されてもよい。また、図１以外の図面では電線管５２は１本としている。
【００４２】
また、本実施形態における電線管５２の内部には、配線５５（図１参照）が収容されており、後述する電線管５４、５６においても、電線管５２と同様、配線５５と接続される配線（図示省略）が収容されている。このため、ここでは、電線管同士を電気的に接続させるとは、電線管内部の配線同士を電気的に接続させるという意味である。
【００４３】
天井内４８には、電力が供給可能な第１配線部材としての電線管５４が配策されている。一方、外壁２２の内装材２４の外壁内５０側の表面２４Ｂには、電力が供給可能な第２配線部材としての電線管５６が略水平方向に沿って配策されている。また、内装材２４の屋内２３側にはコンセント６０が配設されており、電線管５６は当該コンセント６０に接続されている。このため、電線管５４内に配設された図示しない配線は、電線管５２及び電線管５６を経て、内装材２４の屋内２３側に配設されたコンセント６０へ接続される。
【００４４】
なお、本実施形態では、天井内４８に配策された電線管５４内の配線を電線管５２内へ収容させるようにしているが、図示しない床内側に配策された配線を電線管５２内へ引き込むようにしてもよいのは勿論のことである。
【００４５】
また、本実施形態では、間仕切り壁４４は矩形板状を成しているが、間仕切り壁４４の一端部４４Ａが外壁２２の内装材２４に対して略直交した状態で当接していれば良いため、この形状に限るものではない。例えば、間仕切り壁４４は水平方向に沿って円弧状に形成されてもよい。
【００４６】
（配線構造の作用・効果）
次に、本実施の形態に係る配線構造の作用・効果について説明する。
【００４７】
図１及び図３に示されるように、本実施形態では、建物１２の外壁２２における屋内２３側に設けられた内装材２４に対して、間仕切り壁４４が略直交した状態で当接している。この間仕切り壁４４には、建物１２の高さ方向に沿って連通する配線スペース４６が設けられており、配線スペース４６内には電線管５２が収容されている。
【００４８】
そして、本実施形態では、天井内４８に配策された電線管５４は、電線管５２内を経て外壁２２内の内装材２４の表面に沿って配策された電線管５６に接続され、当該電線管５６内の図示しない配線がコンセント６０に接続されている。
【００４９】
例えば、図６に示されるように、外壁１００の内装材１０２に対して、コンセント（図示省略）を配設する場合、一般的には天井内１０４に設けられた配線１０６を外壁内１０８に引き込み配策させる。このとき、外壁内１０８では通気層１１０を利用して配線スペースを確保するが、当該通気層１１０へ配線１０６を引き込むには、天井大梁１１２から柱（図示省略）周りを経て配策させる場合もある。この場合、外張り断熱構造が採用された建物１１４では、柱周りにおいて配線スペースを確保することは困難である。
【００５０】
仮に、天井下地材１１６から外壁内１０８へ配線１１８を引き込もうとした場合、野縁１２０は削ることができないため、当該野縁１２０から退避させる必要がある。この場合、内装材１２２の位置を屋内１２４側へずらす必要が生じ、建物ユニットにおいて、大幅な設計変更を余儀なくされることになり、コストが増大する。
【００５１】
しかし、本実施形態では、図３に示されるように、例えば、天井内４８に設けられた電線管５４と間仕切り壁４４に設けられた電線管５４の一端部（第１接続部）を接続させ、電線管５４の他端部（第２接続部）を外壁２２内に設けられた電線管５６に接続させるだけで、電線管５４を介して電線管５４と電線管５６とは電気的に接続される。つまり、電線管５６には電線管５４を通じて電力が供給可能となる。
【００５２】
これにより、外壁２２における屋内２３側に設けられた内装材２４にコンセント６０などの配線器具を配設することができる。したがって、電線管５４を配策するために、断熱材３８を突き破る必要もなく、生産上、作業性も良い。すなわち、本実施形態によれば、断熱材３８が設けられた外壁２２に対して、断熱材３８を突き破ることなく当該外壁内５０に電線管５４を配策することができる。
【００５３】
さらに、例えば、リフォームの際、コンセント６０の位置を変えようとした場合、図６に示されるように、配線１０６が外壁内１０８の通気層１１０に配策されていると、外壁１００の内装材１０２、断熱材４０等を剥がす必要が生じ、大掛かりな工事となってしまい、その分工期が長期化してしまう。これに対して、本実施形態では、図３に示されるように、外壁２２内の内装材２４側に電線管５４を配策させているため、リフォームの際、当該内装材２４を剥がすだけでよいので、工期が短縮化される。
【００５４】
また、本実施形態では、外壁２２内の柱２６と対向しない箇所で内装材２４に対して間仕切り壁４４が設けられている。これにより、外壁２２内における配線スペース４６を確保することができる。
【００５５】
（その他の実施形態）
図１に示されるように、本実施形態では、建物１２の外壁２２における内装材２４について説明したが、これに限るものではない。例えば、図示はしないが、建物１２の屋内２３に設けられた腰壁にも適用可能である。つまり、本実施形態では、例えば、天井部１５からの配線経路を確保できない図示しない腰壁などに対して内部に電線管を配設し、図１に示す間仕切り壁４４内の電線管５２と電気的に接続させる。これにより、当該腰壁などにもコンセント６０などの配線器具を配設することができる。
【００５６】
また、図１に示されるように、本実施形態では、間仕切り壁４４に配線スペース４６が設けられ、当該配線スペース４６内には電線管５２が収容されている。配線５５を含め電線管５２はメンテナンス等により交換する場合がある。このため、間仕切り壁４４において、配線スペース４６を開閉させる開閉扉６６を設けてもよい。この開閉扉６６を開放させることによって、配線部としての電線管５２が露出し、電線管５２及び配線５５が交換可能となるため、作業が容易になる。
【００５７】
さらに、図５（Ａ）及び図４に示されるように、電線管５２の一端部に第１接続部としてのカプラー６８を接続させ、電線管５２の他端部に第２接続部としてのカプラー７０を接続させる。天井内４８の電線管５４には、カプラー７２を接続させ、外壁２２の内装材２４の電線管５６にはカプラー７４を接続させる。
【００５８】
そして、間仕切り壁４４を内装材２４に当接させる際、電線管５２のカプラー７０を外壁内５０のカプラー７４に接続させ、電線管５２のカプラー６８を天井内４８のカプラー７２に接続させる。これにより、電線管５２のカプラー６８、７０を介して天井内４８の電線管５４から外壁内５０の電線管５６へ電力が供給される。
【００５９】
このように、間仕切り壁４４にカプラー６８、７０を設け、天井内４８側の電線管５４及び外壁内５０側の電線管５６にそれぞれカプラー７２、７４を設けることで、外壁２２の内装材２４に配設されたコンセント６０へ電力を供給させるための作業が容易になる。なお、この場合、電線管５２について、予め余長部７６を作っておき、例えば、カプラー６８をカプラー７２に接続させる際、当該余長部７６によってカプラー６８をカプラー７２側へ近接させることができる。
【符号の説明】
【００６０】
１０    配線構造
１２    建物
２２    外壁
２３    屋内
２４    内装材
２６    柱
４４    間仕切り壁（間仕切り壁本体）
４６    配線スペース
４８    天井内
５０    外壁内
５２    電線管（第１接続部、第２接続部、配線部）
５４    電線管（第１配線部材）
５５    配線
５６    電線管（第２配線部材）
６６    開閉扉
６８    カプラー（第１接続部）
７０    カプラー（第２接続部）
【図１】
0006470538.tif 000002
【図２】
0006470538.tif 000003
【図３】
0006470538.tif 000004
【図４】
0006470538.tif 000005
【図５】
0006470538.tif 000006
【図６】
0006470538.tif 000007